(57)【要約】【課題】  従来の襖二枚による押入れの使いにくさと、構造的な収納機能の悪さの根本的解消、さらに上下に全開することの不都合を解消し、押入れの機能と伝統を生かしつつ現代住宅の洋風和室にもなじむ仕様とした、上下二段分割のユニット収納押入れの発明。【解決手段】  押入れスペースを中段パネル１部分で、側板１５ａ〜１５ｄとともに水平に上下に分割し、さらに下段を縦中央で中仕切パネル２により、中段重量を支持しつつ垂直に二分割する。その三つの開口部への開き戸の採用と、下段への造りつけの引出し１０、さらに前後に引き出せる可動棚１２、もう一方への幅いっぱいの棚１３を設置。以上を押し入れ全体のユニットとし、新築やリフォーム時にビルトイン式で据え付けるものとした。【選択図】  図１
2005325664.tif 000002
【特許請求の範囲】
【請求項１】
押入れの横中央で、中段パネルにより水平に上下に分割し、さらに下段を縦中央で垂直に中仕切パネルにより二分割し、開口部分三箇所を開き戸で構成した、上下二段分割のユニット収納押入れ。
【請求項２】
押入れ下段の一方は半分に引き出しを造りつけ、片側には引き出し箱体の側板を仕切りとして利用し、下段中央の中仕切パネルと対応する位置にそれぞれレール状の棚受け桟を取り付け、手前小口部分に引き手を付けた前後に引き出し可能の棚を設け、下段のもう一方は棚を設置した、請求項１記載の上下二段分割のユニット収納押入れ。
【請求項３】
押入れ本体の構成において、押入れの側板も中段パネルの位置で水平に上下に分離し下段部分の左右側板パネルおよび、下段中央の垂直な中仕切パネルをそれぞれ床パネルに接合して、その上に中段パネルを載せて接合し、よって上段の重量を支持する構造とした、請求項１記載の上下二段分割のユニット収納押入れ。
【発明の詳細な説明】
【技術分野】
【０００１】  本発明は押入れの使い難さを根本的に解消した、新築時またはリフォーム時にビルトインタイプとして設置するためのユニット式収納押入れに関するものである。
【背景技術】
【０００２】  従来の押し入れ収納ユニットとしては、おもに建物に取り付けや取り外しが簡便なことが特徴の、折り戸と可動棚の設置によるもの（例えば特許文献１参照。）とか、全面の折畳み扉と奥の固定棚、前面の左右可動棚を利用した押入れ装置（例えば特許文献２参照。）などがある。【０００３】  また、全面の折り戸と自立可能な物品収納ユニットを組み合わせた（例えば特許文献３）などもあるが、これはふとんの収納よりむしろ台所や居室での使用をメインとしているものであるのと、上記いずれも折り戸形式であり、あまり和室向きとはいえず、またすべて上下に全面開放のタイプであるため、本発明が解決しようとするテーマとは目的が異なると考えられる。
【特許文献１】特開平１０−１０２７５８
【特許文献２】実全昭６４−００２９４５
【特許文献３】実全平０１−１６２５３４
【発明の開示】
【発明が解決しようとする課題】
【０００４】  従来の押入れは、これまで基本的に襖二枚の引違い戸によるものが大半であり、幅は約一間で、周知の通り片方に寄せて全開しても８０ｃｍから９０ｃｍの開口幅となる。しかし現実の和式布団の幅はシングルの場合でも、ほぼ１００ｃｍが主流であり、以前から出し入れの際には困難を伴っていた。【０００５】  そのことの解消策として最近は開き戸や折り戸もたまに見られるようになったが、それでも上下奥行きともに深い大きな空間があるだけで整理がしにくく、ふとん以外の物を収納するには、別途押入れ収納や押入れタンスを新規に据付けなければ使いづらく、スペース的にも経済的にも無駄が生じていた。【０００６】  また押入れの収納の主目的は寝具であるが、ふとんの出し入れの際には全開となり収納物が全部見えてしまうし、ふとん以外の収納物の出し入れの際には、半開にしても戸一枚分、折り戸であれば二枚分が開放されて常に寝具が見えてしまう状態となり、客間として使うことの多い和室としては不都合が多かった。【０００７】  さらに開き戸や折り戸であっても、上段のみへの出し入れにも扉分の開閉スペースを手前床部分に確保しなければ開閉できない不便さがあった。【０００８】  さらに、従来より押入れの中段（中棚ともいう）といわれる幅一間の水平の棚部分は、ふとんの重量を支えるため、開口部手前に化粧框という８ｃｍから１０ｃｍ前後の幅の板を構造上取り付ける必要があり、そのために下段の高さを最大限に使うことができず、下段の物の出し入れがしづらいという問題があった。
【課題を解決するための手段】
【０００９】  押入れの横中央を中段パネルで水平に上下に分割し、さらに下段を縦中央で垂直に中仕切パネルにより二分割し、開口部分三箇所に開き戸を設けた、本発明に係る上下二段分割のユニット収納押入れである。【００１０】  さらに押入れ下段の一方は半分に引出しを造りつけ、その側板を仕切りとして利用し、下段中央の中仕切パネルと対応する位置に、棚受桟をレール状にして上下数箇所に取り付けて上下位置可動としたものに、手前小口部分に引手を付けた前後に引き出し可能な棚を設け、下段のもう一方には幅いっぱいの上下に取り付け位置可動な棚を設置した。【００１１】  押入れの構成として、押入れの側板も中段パネルの位置で水平に上下に分離し、下段部分の左右側板パネルと下段中央の中仕切パネルを、それぞれ床パネルに接合した上に中段パネルを載せて固定し、上段重量を支持する構造とした、上下二段分割のユニット収納押入れとした。
【発明の効果】
【００１２】  上下二段の開き戸にすることで、上段へのふとんの出し入れ時に押入れの幅を全開しても、足元はそのままで開閉のための場所をとることなく、どのようなサイズのふとんでも出し入れを容易とすることができる。【００１３】  また、上段下段と下段左右の戸をそれぞれに分離しているため、収納スペースの区分ができることで収納の出し入れがしやすいだけでなく、収納部分の開け閉めのたびにふとんを人目にさらさなくて済むことと、同様にふとんの出し入れ時に収納部分を見せずに済むことで、客間としての使用が多い和室においては従来からの不都合を解消することができる。【００１４】  さらに下段を縦に二分して一方には幅いっぱいの棚（枕や毛布、タオルケット類、または座布団などの収納に便利。）を設置し、さらに一方の半分に大きめの引き出しを造りつけ、残り半分には小口部分手前に小さな取手を付けて棚受け部分をレール状にした、前後に引き出せる棚を当初より設置しておくことで、奥行きいっぱいの収納物の出し入れも容易となり、スペースに無駄がなくなる。【００１５】  また、下段中央に中仕切りを設けることと、押入れ本体の側板パネルとによって中段を支持する構造にすることで、中段の重量支持力も強くなり、従来に懸念のあったふとんの重みによるたわみも解消することができるし、それに伴い中段前面部分に根太受けの化粧框が不要となり、下段スペースを高さいっぱい使用することができる。【００１６】  近年のメーターモジュール規格による洋式和室にも取り入れやすく、かつ伝統の押入れの用途と雰囲気を損なうことなく、新しい和の収納スタイルができることと、ビルトインのユニット式にすることで、工場量産が可能であり、コストの抑制が期待できる。
【発明を実施するための最良の形態】
【００１７】  形態については下記実施例に述べるが、数種類の規格寸法を設定し、その中から据え付ける和室に合わせてサイズや戸の仕様を選び、押入れ本体（床パネル、中段パネル、天板パネル、側板パネル、背板パネル、中仕切パネル、各種桟や枠）と各開き戸、引出し、棚板、丁番や取手などの金物類一式をユニット押入れとして、新築もしくはリフォーム時に施工設置するものとする。
【実施例】
【００１８】  以下図１内の符号により説明する。
押入れの横中央で中段パネル１により水平に上下二段に分ける。従来の押入れは約一間の高さの上に天袋があることが多いが、近年の住宅規格のメーターモジュールに対応した２ｍの高さとし、中段の位置も従来は押入れ全体の高さの半分より低く、８０ｃｍぐらいとなっていたが、２ｍの半分の１ｍの高さを基本とする。【００１９】  さらに下段中央で中仕切パネル２により中段の支持を兼ねて縦垂直に二分し、それぞれの開口部三箇所に両開き戸３〜８の計６枚を設置した。両開き戸は襖縁なしの太鼓張式を採用し、洋風和室にもなじむものとするが、据付場所のスペースによってはやや狭い場合、上段下段に２枚ずつの４枚の開き戸を設置する時など、襖縁のあるものでもよいし、また幅広のスペースの場合、上段下段とも二つ折りの開き戸にするなどのアレンジもできる。【００２０】  引出し１０は、木製の場合中身が見えるように、引手を付ける代わりに半円形にくりぬいて引き出せるようにしたものや、またはポリプロピレンなどの素材で３杯か４杯を設ける。また、引出しの箱体を形成する９ａは中段の支えも成すが、下段一方の仕切りも兼ね、棚取り付け側に溝を付けてレール状にした棚受け桟１１を、下段中央の中仕切りパネル２に対応する位置数箇所に取り付けて、上下取り付け位置可動としている。【００２１】  棚板１２は手前小口部分に引手を付けて前後に可動としたものを２枚設置する。また下段のもう一方には、幅いっぱいで奥行き三分の二の棚１３を１枚設置する。奥行きを三分の二にすることで下の物が出し入れしやすく、また下段の高さいっぱいの長い物の収納にも便利となる。【００２２】  押入れ全体の構成は、床パネル１４に下段中仕切パネル２と側板パネル１５ｃと１５ｄ、さらに引出しの外枠９ａ、９ｂをそれぞれ太ほぞ接ぎなどにより接合し、それらで中段パネル１を支える構造となるので、その上から中段パネル１をのせて接合し、さらにその上に側板パネルの１５ａと１５ｂを接合して、背板パネル１６と屋根裏上がり口を施した天板パネル１７を取り付ける。【００２３】  各１５の側板パネルと中仕切パネル２の小口部分には、丁番類により３から８の各開き戸を取り付ける。
【図面の簡単な説明】
【００２４】
【図１】押入れの戸を開いた時の、下段中央の戸５、６の２枚を省略した説明図である。
【図２】押入れの戸を閉じた時の正面図である。
【図３】平面図である。
【符号の説明】
１  中段パネル
２  中仕切パネル
３〜８  開き戸
９ａ  引出し外枠兼仕切
９ｂ  引出し外枠
１０  引出し
１１  レールつき棚受桟
１２  引手付き可動棚板
１３  棚板
１４  床パネル
１５ａ〜１５ｂ  側板パネル
１６  背板パネル
１７  天板パネル
【図１】
2005325664.tif 000003
【図２】
2005325664.tif 000004
【図３】
2005325664.tif 000005